(57)【要約】【課題】  コストの低減を図り、さらに、ケースの折れ曲がりを防止する同軸コネクタ用ジャックを提供すること。【解決手段】  本発明の同軸コネクタ用ジャック１０は、後端側に広径部１１ａが形成された管状形状のケース１１と、管状形状のケース１１の内部に圧入される円筒形状の絶縁部２１と、円筒形状の絶縁部２１の中心に圧入されるジャックピン３１と、円形の貫通穴１２ａが形成され、管状形状のケース１１の広径部１１ａが貫通穴１２ａに圧入される取付部１２とを備えることとした。【選択図】  図１
2005174885.tif 000002
【特許請求の範囲】
【請求項１】
後端側に広径部が形成された管状形状のケースと、前記管状形状のケースの内部に圧入される円筒形状の絶縁部と、前記円筒形状の絶縁部の中心に圧入されるジャックピンと、円形の貫通穴が形成され、前記管状形状のケースの広径部が前記貫通穴に圧入される取付部とを備えたことを特徴とする同軸コネクタ用ジャック。
【請求項２】
管状形状のケースと、前記管状形状のケースの内部に圧入される円筒形状の絶縁部と、前記円筒形状の絶縁部の中心に圧入されるジャックピンと、円形の貫通穴が形成され、前記管状形状のケースが前記貫通穴に圧入される取付部と、前記管状形状のケースと取付部とのコーナに固定される環状補強部とを備えたことを特徴とする同軸コネクタ用ジャック。
【請求項３】
前記管状形状のケースは、外周面では断面が凹形状で、内周面では断面が凸形状の環状の凹凸部を側面に形成することを特徴とする請求項１または請求項２に記載の同軸コネクタ用ジャック。
【請求項４】
前記円筒形状の絶縁部は、外周面に硬質リングを設けることを特徴とする請求項１または請求項２に記載の同軸コネクタ用ジャック。
【発明の詳細な説明】
【技術分野】
【０００１】  本発明は、コストの低減を図るとともにケースの折れ曲がりを防止する同軸コネクタ用ジャックに関する。
【背景技術】
【０００２】  図３は、従来の同軸コネクタ用ジャックの縦断面図を示す。
この従来の同軸コネクタ用ジャック５０は、同軸コネクタ用プラグ（図示せず）と接続するもので、ジャックピン７１が中心に圧入された円筒形状の絶縁部６１が、管状形状のケース５１の中に圧入された構成となっており、取付部５２が管状形状のケース５１と一体で形成され、取付部５２の取付穴５２ａを介しネジによりシャーシ５９に固定される。
同軸コネクタ用ジャック５０は、管状形状のケース５１の外側が同軸コネクタ用プラグの管状のスプリングにはめられ、ジャックピン７１の前端部７１ａが同軸コネクタ用プラグの管状のプラグピンに挿入され同軸コネクタ用プラグと接続が行われる。
この種の従来の同軸コネクタ用ジャックの従来技術は、例えば、特許文献１に示すものがある。【０００３】
【特許文献１】      特開平９−１２９３１６
【発明の開示】
【発明が解決しようとする課題】
【０００４】  しかしながら、従来の同軸コネクタ用ジャック５０は、管状形状のケース５１の外周と、絶縁部６１が圧入される管状形状のケース５１の中空部５３とを切削により加工しなければならなかった。そのため、高価な切削機による加工を必要とし加工に時間もかかり、また、切削加工により材料の無駄の部分が多く発生するため、コスト高となっていたという問題があった。さらに、管状形状のケース５１は、内側に同軸コネクタ用プラグのピン部が挿入されるため、所定の厚みまで薄くする必要があり、同軸コネクタ用プラグと係合する外周面に形成される凹部５４の厚さは薄くせざるを得ないため、凹部５４のところで曲げ強度が弱くなり、折れ曲がる可能性があった。
本発明は、上記に鑑みてなされたものであって、コストの低減を図り、さらに、ケースの折れ曲がりを防止する同軸コネクタ用ジャックを提供することを目的とする。
【課題を解決するための手段】
【０００５】  本発明の同軸コネクタ用ジャックは、後端側に広径部が形成された管状形状のケースと、前記管状形状のケースの内部に圧入される円筒形状の絶縁部と、前記円筒形状の絶縁部の中心に圧入されるジャックピンと、円形の貫通穴が形成され、前記管状形状のケースの広径部が前記貫通穴に圧入される取付部とを備えることとした。
また、本発明の同軸コネクタ用ジャックは、管状形状のケースと、前記管状形状のケースの内部に圧入される円筒形状の絶縁部と、前記円筒形状の絶縁部の中心に圧入されるジャックピンと、円形の貫通穴が形成され、前記管状形状のケースが前記貫通穴に圧入される取付部と、前記管状形状のケースと取付部とのコーナに固定される環状補強部とを備えることとした。
また、前記管状形状のケースは、外周面では断面が凹形状で、内周面では断面が凸形状の環状の凹凸部を側面に形成することとした。
さらに、前記円筒形状の絶縁部は、外周面に硬質リングを設けることとした。
【発明の効果】
【０００６】  本発明の同軸コネクタ用ジャックは、後端側に広径部が形成された管状形状のケースと、前記管状形状のケースの内部に圧入される円筒形状の絶縁部と、前記円筒形状の絶縁部の中心に圧入されるジャックピンと、円形の貫通穴が形成され、前記管状形状のケースの広径部が前記貫通穴に圧入される取付部とを備えることとしたため、強度を充分保持し、コストの低減を図ることができる。
また、本発明の同軸コネクタ用ジャックは、管状形状のケースと、前記管状形状のケースの内部に圧入される円筒形状の絶縁部と、前記円筒形状の絶縁部の中心に圧入されるジャックピンと、円形の貫通穴が形成され、前記管状形状のケースが前記貫通穴に圧入される取付部と、前記管状形状のケースと取付部とのコーナに固定される環状補強部とを備えることとしたため、強度を充分保持し、コストの低減を図ることができる。
また、前記管状形状のケースは、外周面では断面が凹形状で、内周面では断面が凸形状の環状の凹凸部を側面に形成することとしたため、ケースの折れ曲がりを確実に防止することができる。
さらに、前記円筒形状の絶縁部は、外周面に硬質リングを設けることとしたため、管状形状のケースは、後端側で絶縁部を強固に保持することができる。
【発明を実施するための最良の形態】
【０００７】  以下、本発明の実施の形態の同軸コネクタ用ジャックにつき図を用いて説明する。
【実施例１】
【０００８】  図１は、本発明の第１の実施の形態の同軸コネクタ用ジャックの構造図を示し、図１（ａ）は、縦断面図を示し、図１（ｂ）は、図１（ａ）の矢印ＡＡの横断面図を示す。【０００９】  図１（ａ）に示すように、本発明の実施の形態の同軸コネクタ用ジャック１０は、同軸コネクタ用プラグ（図示せず）と接続するもので、管状形状のケース１１と、管状形状のケース１１の内部に圧入される円筒形状の絶縁部２１と、円筒形状の絶縁部２１の中心に圧入されるジャックピン３１と、管状形状のケース１１が圧入される取付部１２とで構成されている。
管状形状のケース１１は、後端側に広径部１１ａが形成されており、この広径部１１ａとともにプレス加工により形成される。この管状形状のケース１１の広径部１１ａが取付部１２に形成された貫通穴１２ａに圧入され、管状形状のケース１１と取付部１２は一体的に取付けられる。また、管状形状のケース１１は、同軸コネクタ用プラグの管状のスプリングと係合状態を保持するため、管状形状のケース１１の外周面では断面が凹形状で、内周面では断面が凸形状の環状の凹凸部１４がプレス加工により側面に形成されている。そのため、管状形状のケース１１は、凹凸部１４のところでも厚みは変わることはなく、曲げ強度を充分得ることができる。【００１０】  絶縁部２１は、管状形状のケース１１に圧入されたときに取付部１２と対向する位置の外周に硬質リング２２が圧入されている。そのため、絶縁部２１が管状形状のケース１１に圧入されたとき、硬質リング２２は、管状形状のケース１１の広径部１１ａの内周との間に圧縮状態で固定され、絶縁部２１を強固に保持するとともに、管状形状のケース１１に強固に保持され、管状形状のケース１１は、後端側で絶縁部２１を強固に保持することができる。また、絶縁部２１は、管状形状のケース１１に圧入されたとき、凹凸部１４に嵌め合わされ、管状形状のケース１１の前端側でも強固に保持される。
ジャックピン３１は、環状の突起部３１ａが形成されており、絶縁部２１に圧入されるとき、絶縁部２１に形成されている環状の凹部２１ａと嵌め合わされて強固に固定される。ジャックピン３１の細くなったピン先端部３１ｂが同軸コネクタ用プラグのプラグピンに挿入されるとともに、管状形状のケース１１が同軸コネクタ用プラグの管状のスプリングに挿入され、同軸コネクタ用ジャック１０は、同軸コネクタ用プラグと接続する。
取付部１２は、管状形状のケース１１の広径部１１ａが貫通穴１２ａに圧入されたとき、管状形状のケース１１の後端に形成されたフランジ１５が、取付部１２に形成されたフランジ取付穴１２ｃに嵌め合わされる。そのため、管状形状のケース１１の前端側への抜けを確実に防止するとともに、取付部１２がシャーシ１９に固定されたとき、管状形状のケース１１の後端側への抜けも確実に防止することができる。【００１１】  図１（ｂ）に示すように、本発明の実施の形態の同軸コネクタ用ジャック１０は、管状形状のケース１１が圧入される矩形形状の取付部１２が取付穴１２ｂを介しネジにより図１（ａ）に示すシャーシ１９に固定され、取付けられる。前記したごとく、管状形状のケース１１は、絶縁部２１が圧入され、絶縁部２１にはジャックピン３１が圧入され、また、管状形状のケース１１の後端には、フランジ１５が形成されている。【００１２】  以上のように、本発明の実施の形態の同軸コネクタ用ジャック１０は、プレス加工により形成され、後端側に広径部１１ａが形成された管状形状のケース１１が、取付部１２に形成された貫通穴１２ａに圧入されるため、強度を充分保持し、コストの低減を図ることができる。
また、管状形状のケース１１に、環状の凹凸部１４がプレス加工により形成されているため、同軸コネクタ用プラグの管状のスプリングと係合状態を保持し、ケースの折れ曲がりを確実に防止することができる。
さらに、絶縁部２１には取付部１２と対向する位置の外周に硬質リング２２が圧入されているため、硬質リング２２は、絶縁部２１を強固に保持するとともに、管状形状のケース１１に強固に保持され、管状形状のケース１１は、後端側で絶縁部２１を強固に保持することができる。
【実施例２】
【００１３】  図２は、本発明の第２の実施の形態の同軸コネクタ用ジャックの縦断面図を示す。
本発明の第２の実施の形態の同軸コネクタ用ジャック４０は、図１に示す本発明の第１の実施の形態の同軸コネクタ用ジャック１０と同一のものには同一の符号を付すこととする。
図２に示すように、本発明の実施の形態の同軸コネクタ用ジャック４０は、同軸コネクタ用プラグ（図示せず）と接続するもので、管状形状のケース４１と、管状形状のケース４１の内部に挿入される円筒形状の絶縁部２１と、円筒形状の絶縁部２１の中心に圧入されるジャックピン３１と、管状形状のケース４１が圧入される取付部４２と、管状形状のケース４１と取付部４２とのコーナに固定される環状補強部４６とで構成されている。
管状形状のケース４１は、プレス加工により形成される。この管状形状のケース４１の後端が取付部４２に形成された貫通穴４２ａに圧入され、管状形状のケース４１と取付部４２は一体的に取付けられる。また、管状形状のケース４１は、同軸コネクタ用プラグの管状のスプリングと係合状態を保持するため、管状形状のケース４１の外周面では断面が凹形状で、内周面では断面が凸形状の環状の凹凸部４４がプレス加工により側面に形成されている。そのため、管状形状のケース４１は、凹凸部４４のところでも厚みは変わることはなく、曲げ強度を充分得ることができる。【００１４】  絶縁部２１は、管状形状のケース４１に圧入されたときに取付部４２と対向する位置の外周に硬質リング２２が圧入されている。そのため、絶縁部２１が管状形状のケース４１に圧入されたとき、硬質リング２２は、管状形状のケース４１の内周との間に圧縮状態で固定され、絶縁部２１を強固に保持するとともに、管状形状のケース４１に強固に保持され、管状形状のケース４１は、後端側で絶縁部２１を強固に保持することができる。また、絶縁部２１は、管状形状のケース４１に圧入されたとき、凹凸部４４に嵌め合わされ、管状形状のケース４１の前端側でも強固に保持される。
ジャックピン３１は、環状の突起部３１ａが形成されており、絶縁部２１に圧入されるとき、絶縁部２１に形成されている環状の凹部２１ａと嵌め合わされて強固に固定される。ジャックピン３１の細くなったピン先端部３１ｂが同軸コネクタ用プラグのプラグピンに挿入されるとともに、管状形状のケース４１が同軸コネクタ用プラグの管状のスプリングに挿入され、同軸コネクタ用ジャック４０は、同軸コネクタ用プラグと接続する。
取付部４２は、管状形状のケース４１の貫通穴４２ａに圧入されたとき、管状形状のケース４１の後端に形成されたフランジ４５が、取付部４２に形成されたフランジ取付穴４２ｃに嵌め合わされる。そのため、管状形状のケース４１の前端側への抜けを確実に防止するとともに、取付部４２がシャーシ１９に固定されたとき、管状形状のケース４１の後端側への抜けも確実に防止することができる。
環状補強部４６は、管状形状のケース４１と取付部４２とのコーナに固定されるため、取付部４２に対する管状形状のケース４１の曲げ強度が補強され、管状形状のケース４１の折れ曲がりを確実に防止することができる。
本発明の第２の実施の形態の同軸コネクタ用ジャック４０は、管状形状のケース４１が圧入される矩形形状の取付部４２が取付穴４２ｂを介しネジによりシャーシ１９に固定され、取付けられる。【００１５】  以上のように、本発明の第２の実施の形態の同軸コネクタ用ジャック４０は、プレス加工により形成された管状形状のケース４１が、取付部４２に形成された貫通穴４２ａに圧入され、また、環状補強部４６が管状形状のケース４１と取付部４２とのコーナに固定されるため、強度を充分保持し、コストの低減を図ることができる。
また、管状形状のケース４１に、環状の凹凸部４４がプレス加工により形成されているため、同軸コネクタ用プラグの管状のスプリングと係合状態を保持し、ケースの折れ曲がりを確実に防止することができる。
さらに、絶縁部２１には取付部４２と対向する位置の外周に硬質リング２２が圧入されているため、硬質リング２２は、絶縁部２１を強固に保持するとともに、管状形状のケース４１に強固に保持され、管状形状のケース４１は、後端側で絶縁部２１を強固に保持することができる。【００１６】  なお、本発明の第１の実施の形態の同軸コネクタ用ジャック１０は、管状形状のケース１１の後端側に形成する広径部１１ａを管状形状のケース１１と同一の肉厚の形状にすることもできる。
また、本発明の第１の実施の形態の同軸コネクタ用ジャック１０は、本発明の第２の実施の形態の同軸コネクタ用ジャック４０の環状補強部４６を設けるようにすることもできる。
さらに、本発明の第１、第２の実施の形態の同軸コネクタ用ジャック１０、４０では、シャーシ１９に取付けられる側を後端側とし、ピン先端部３１ｂの側を前端側とした。
【図面の簡単な説明】
【００１７】
【図１】  本発明の第１の実施の形態の同軸コネクタ用ジャックの構造図を示し、図１（ａ）は、縦断面図を示し、図１（ｂ）は、図１（ａ）の矢印ＡＡの横断面図を示す。
【図２】  本発明の第２の実施の形態の同軸コネクタ用ジャックの縦断面図を示す。
【図３】  従来の同軸コネクタ用ジャックの縦断面図を示す。
【符号の説明】
【００１８】  １０、４０  同軸コネクタ用ジャック
１１、４１  ケース
１１ａ  広径部
１２、４２  取付部
１２ａ、４２ａ  貫通穴
１４、４４  凹凸部
１５、４５  フランジ
２１  絶縁部
２２  硬質リング
２１ａ  凹部
３１  ジャックピン
３１ａ  環状の突起部
３１ｂ  ピン先端部
４６  環状補強部
【図１】
2005174885.tif 000003
【図２】
2005174885.tif 000004
【図３】
2005174885.tif 000005